Podtech/llm-jp-corpus-v4-ja_patent huggingface dataset:
(57)【要約】      （修正有）【課題】ブルーレイディスクからの情報の読み取りに使用された光学ヘッドのクリーニングを高効率で行うことが可能なデバイスを提供する。【解決手段】複数のブルーレイディスクから情報を読み取る複数の光学ヘッドをクリーニングするデバイスが、コンパクトディスクを備え、前記コンパクトディスクは、ブルーレイディスクからの情報の読み取りに使用される複数のデバイスと適合し、さらに１つ以上のクリーニング機構と、前記ブルーレイディスクについての前置き情報を含む内部ゼロトラックと、クリーニング工程中にブルーレイディスクから情報を読み取る光学ヘッドの動作を制御するための記録プログラムとを具備している。【選択図】図１【実用新案登録請求の範囲】
【請求項１】
複数のブルーレイディスクから情報を読み取る複数の光学ヘッドをクリーニングするデバイスであって、
前記デバイスがコンパクトディスクを備え、
前記コンパクトディスクが、ブルーレイディスクからの情報の読み取りに使用される複数のデバイスと適合し、１つ以上のクリーニング機構と、前記ブルーレイディスクについての前置き情報を含む内部ゼロトラックと、前記クリーニング工程中にブルーレイディスクから情報を読み取る前記光学ヘッドの動作を制御するための記録プログラムを含むトラックとを具備することを特徴とする、デバイス。
【考案の詳細な説明】
【技術分野】
【０００１】
本実用新案は、複数の高密度ブルーレイディスクにおける情報記憶の分野についてであり、主にこの種のコンパクトディスクからの情報の読み取りに使用される複数の装置の複数の光学ヘッドクリーニングに使用可能である。
【背景技術】
【０００２】
ブルーレイディスクは、ここ数年で入手可能となった高密度記録媒体である。例として、ロシア特許出願公開第２００４１２５２８２号明細書を参照すると、情報が青色領域内のレーザー光照射によって記録および読み取られる。
【０００３】
ブルーレイディスクの記録情報の高密度性は、ブルーレイディスクからの該情報の読み取りに使用される光学ヘッドに対して正常かつ効率的なクリーニングを必要とすることを留意すべきである。
【０００４】
米国特許第５，７５６，９６２号明細書に記載されるようなブルーレイディスクを含むあらゆる種類のディスクから情報を読み取るための光学ヘッドのクリーニング用として、公知の複数のデバイスが使用可能である。このようなデバイスは、ガス溜と、加圧されたガスを光学ヘッドに供給するシステムとを備えている。
【０００５】
このようなデバイスは、本実用新案の原型として見なされる。
【０００６】
前記デバイスの欠点は、低圧ではクリーニングに必要なレベルを確保できない一方で、かなりの圧力のガス供給では光学ヘッドに損傷を与えるという事実によって生じる光学ヘッドクリーニングの低効率にある。ガスでクリーニングされた表面から生じる汚染物質は、再び該表面上に蓄積されるようになる。
【０００７】
出願人は、ブルーレイ光ディスクから情報を読み取る光学ヘッドをクリーニングするために、光ファイバーなどの固形のクリーニング材を採用した、いかなる機械的な光学ヘッドクリーニング手段も発見していない。
【考案の開示】
【考案が解決しようとする課題】
【０００８】
本実用新案の目的は、ブルーレイディスクから情報を読み取る光学ヘッドのクリーニング効率を高めるための解決手段を提供することである。
【課題を解決するための手段】
【０００９】
本実用新案では、複数のブルーレイディスクから情報を読み取る複数の光学ヘッドをクリーニングするデバイスを提供する。該デバイスは、コンパクトディスクを備え、該コンパクトディスクは、ブルーレイディスクからの情報の読み取りに使用される複数のデバイスと適合し、１つ以上のクリーニング機構と、該ブルーレイディスクについての前置き情報を含む内部ゼロトラックと、クリーニング工程中にブルーレイディスクから情報を読み取る光学ヘッドの動作を制御するための記録プログラムを含むトラックとを備えている。
【００１０】
出願人は、「新規性」の基準に従っていると断定できる本実用新案と同一の工学的解決手段を発見していない。
【考案を実施するための最良の形態】
【００１１】
特定の本実施形態において、本発明のデバイスは、複数のブルーレイディスクからの情報の読み取りに使用されるデバイスに適合する５インチのコンパクトディスク１を備える。前記ディスクは、前記ディスクがブルーレイプレイヤーに挿入された後のディスク起動、回転、および複数の補助機能を制御する記録情報を含んでいる。特定の本実施形態において、コンパクトディスク１は１つのクリーニング機構２を備える。コンパクトディスク１は、幾つかのクリーニング機構を備えてもよい。
【００１２】
内部ゼロトラック３（ブルーレイ標準規格）は、ディスクの種類（「ブルーレイディスク」）についての情報および再生装置（ブルーレイプレイヤー）に対する符号化されたシステム命令を含む。
【００１３】
トラック４は、柔らかい合成繊維でできた長方形のブラシの形で具体化されたクリーニング機構２の真下に配置される。トラック４は、記録された音声・映像テストまたはいわゆる「サイレンス・レコード」を含むことができる。
【００１４】
クリーニング工程中、ブルーレイディスクから情報を読み取る光学ヘッドの動作を制御するための記録プログラムを含むトラック５は、トラック３とトラック４の間に配置される。
【００１５】
前記プログラムは、ユーザーが、例えば遠隔制御装置によって、プルーレイプレイヤーの光学ヘッドの動作を制御できるようにし、同様にクリーニング工程とその質を監視できるようにする。前記プログラムは、ブルーレイディスクの一般的なメインメニューとして記録される。
【００１６】
本発明のデバイスは、次の方法で動作する。ディスク１がブルーレイプレイヤーに挿入されると、トラック３から情報が自動的に読取られ、すぐにディスク１はブルーレイディスクとして識別される。次に、ブルーレイディスクのメインメニューとして具体化された光学ヘッドの動作を制御するための記録プログラムを含む情報が、トラック５から読取られる。このメニューは、テレビ画面またはコンピュータ画面上に表示可能である。ユーザーは、遠隔制御装置によってメニューから必要な操作を選択する。クリーニング操作が選択されると、トラック４が読取られ、汚れが光学ヘッドから除去される。音声・映像テストは同時に再生できる。
【産業上の利用可能性】
【００１７】
当業者に公知の単純な産業機器および構成材が、ブルーレイディスクから情報を読み取る光学ヘッドをクリーニングする本発明のデバイスの製造に使用される。出願人の見解では、本発明のデバイスは「産業上の利用可能性」の基準に従っていると断定できる。
【図面の簡単な説明】
【００１８】
【図１】添付の図面は、本発明のデバイスの一般的な図である。
【図１】
0003156226.tif 000002
(57)【要約】      （修正有）【課題】工事現場や建設現場など義務づけされている保安用標識や、看板などを提供する。【解決手段】各色の単色ＬＥＤを組み合わせたフルーカラーＬＥＤ基板１を設け、使用目的において、様々な組み合わせを可能にすること特微とした、多目的型フルカラーＬＥＤ看板。多目的型フルカラーＬＥＤ基板とパーテーション３があれば、様々な情報を動画面で放映が可能になる。また既存の標識や看板５と組み合わせにより、数多くの看板や標識が不要になる。【選択図】図５
0003156233.tif 000002
【実用新案登録請求の範囲】
【請求項１】
看板を構成する骨組みを自由に設計できるパーテーションとフルカラーＬＥＤ基板が、使用目的によって様々な組み合わせが可能で、既存製品にも流用ができることと、リモート・コントローラーで遠隔操作ができ、太陽光利用の蓄電池を電源とすることができることを特微とする多目的型フルカラーＬＥＤ看板。
【考案の詳細な説明】
【技術分野】
【０００１】この考案は、工事現場や建設現場など義務づけされている保安用標識や、看板などに関するものである。
【背景技術】
【０００２】従来より、静止画面型の各種看板、電光標識、道路標識などはあった。
【考案の開示】
【考案が解決しようとする課題】
【０００３】これは次のような欠点があった。
（イ）目的に応じ、それぞれの看板・標識をつくり、設置するため、現場が乱雑になり、表記が見づらかったり、作業がやりづらかった。
（ロ）工事・建設事業所では、目的に応じたそれぞれの看板・標識を数多く購入、管理をするため経費がかかり過ぎた。
（ハ）通常の電源を使用する看板・標識の場合、電源がなければ使用できなかった。
本考案は、以上の欠点を解決するために考案されたものである。
【課題を解決するための手段】
【０００４】各色の単色ＬＥＤを組み合わせたフルカラーＬＥＤ基板（１）を設け、使用目的において、様々な組み合わせが可能にすることを特微とした、多目的型フルカラーＬＥＤ看板である。
【考案の効果】
【０００５】多目的型フルカラーＬＥＤ基板とパーテーション（３）があれば、様々な情報を動画面で放映が可能になる。また既存の標識や看板（５）と組み合わせにより、数多くの看板や標識が不要になる。
【考案を実施するための最良の形態】
【０００６】  以下、本考案を実施するための最良の形態を説明する。
（イ）２００ｍｍ×２００ｍｍの面積と１６ドット×１６ドットのＬＥＤからなる、フルカラーＬＥＤ基板をパーテーションフレーム（２）に固定し用いて、復数枚の組み合わせが可能になる。
（ロ）パーテーションの組み合わせにより、既存の標識・看板（５）が組みこまれ、多目的の表示ができる。
（ハ）専用コントローラー（４）を設け、遠隔操作機能を持たせることにより、パソコンから情報の発信や、文字の加工、修正をすることが、離れた事務所からできる。
【図面の簡単な説明】
【０００７】
【図１】本考案フルカラーＬＥＤ基板の正面図
【図２】本考案パーテーションを組み合わせ時の正面図
【図３】本考案パーテーションフレームの底面図
【図４】本考案パーテーションフレームの正面図
【図５】本考案フルカラーＬＥＤ基板、パーテーションと既存製品の組み合わせ時の正面図
【符号の説明】
【０００８】１  フルカラーＬＥＤ基板
２  パーテーションフレーム
３  パーテーション
４  専用コントローラー
５  既存の標識・看板
６  ＬＥＤ
【図１】
0003156233.tif 000003
【図２】
0003156233.tif 000004
【図３】
0003156233.tif 000005
【図４】
0003156233.tif 000006
【図５】
0003156233.tif 000007
【手続補正書】
【提出日】平成21年9月24日(2009.9.24)
【手続補正１】
【補正対象書類名】実用新案登録請求の範囲
【補正対象項目名】全文
【補正方法】変更
【補正の内容】
【実用新案登録請求の範囲】
【請求項１】
２００ｍｍ×２００ｍｍの面積と１６ドット×１６ドットのＬＥＤ基板を１単位とし、復数枚をパーテーションフレームに組み合わせることにより、大小様々なスペースの看板を構造する骨組みを自由に設計が可能であることと、ＬＥＤ基板と連結してあるコントローラーにＤＶＩを使用した通信方式にて、リアルタイムにパーソナル・コンピューターからデーターを送信できることを特徴とする多目的型フルカラーＬＥＤ看板。
(57)【要約】      （修正有）【課題】身体的疲労の軽減と傘の遺失防止に役立ち、荷物掛け用具として利用できる傘を提供する。【解決手段】傘の柄に荷物掛けフックを設ける。【選択図】図１
0003156240.tif 000002
【実用新案登録請求の範囲】
【請求項１】
収納可能な荷物掛けフック付き傘。
【請求項２】
荷物掛けフック（固定式）付き傘
【考案の詳細な説明】
【技術分野】
【０００１】本考案は、傘の柄に荷物掛けフックを設けた、傘に関するものである。
【背景技術】
【０００２】傘は雨天時に持って外出した場合、電車内等でハンドバッグ、買い物袋等の持ち物に併せて管理する遺失物筆頭の持物であった。
【考案の概要】
【考案が解決しようとする課題】
【０００３】遺失物筆頭でありながらも必需品である傘の位置付けをより高度な物にすると同時に、傘本来の機能以外の付加価値を付するものである。、
【課題を解決するための手段】
【０００４】本考案は、傘の柄に荷物掛けフックを設けることにより、傘本来の機能に併せ雨天下で使用しない場合、電車内等で荷物掛けフックにハンドバッグ、買い物袋等を掛ける事により、傘本来の機能以外の利用価値を生むものである。
【考案の効果】
【０００５】上述の様に、本考案の荷物掛けフック付き傘は傘本来の機能を維持することは無論、傘本来の機能を発揮しない電車内等において、荷物掛けフックに手持ちのハンドバッグ等を掛けることにより身体的疲労の軽減と傘の遺失防止に役立つ。
【図面の簡単な説明】
【０００６】
【図１】本考案の荷物掛けフック付き傘（収納式）の側面図である。
【図２】本考案の荷物掛けフック付き傘（固定式）の側面図である。
【考案を実施するための形態】
【０００７】傘の柄に設けた荷物掛けフックは雨天下で傘本来の使用目的で使用している間は機能を発揮しないが、屋内や電車内等で傘をたたんで持っている場合に荷物掛けフックにハンドバック、買い物袋等を掛けることにより、身体的疲労の軽減に繋がると同時に傘の遺失防止にも役立つ。
【符号の説明】
【０００８】１  荷物掛けフック（収納式）
２  固定金具
３  傘の柄
４  荷物掛けフック（固定式）付き傘の柄
【図１】
0003156240.tif 000003
【図２】
0003156240.tif 000004
【手続補正書】
【提出日】平成21年9月30日(2009.9.30)
【手続補正１】
【補正対象書類名】実用新案登録請求の範囲
【補正対象項目名】全文
【補正方法】変更
【補正の内容】
【実用新案登録請求の範囲】
【請求項１】
傘の柄に荷物掛けフックを設け、傘本来の使用目的時以外に手荷物等を当該フックに掛けることを特徴とする荷物掛けフック付傘。
(57)【要約】      （修正有）【課題】液種交換作業を簡単にし、シリンジに充填し、冷蔵保存された液等の従来困難であった液の噴霧塗布が可能な噴霧装置を提供する。【解決手段】ブローノズルの液導入口と、シリンジの吐出口とに着脱自在に構成した継ぎ手を装着してブローノズルとシリンジを連結した噴霧装置。ブローノズル１の後端の配管継ぎ手２はメスルアー構成とし、シリンジ３の吐出口継ぎ手４はオスルアー構成としてブローノズル１とシリンジ３を着脱自在に連結する。シリンジ３後部には圧縮エアを供給するワンタッチ継ぎ手５を設置したアダプター６を装着する。シリンジ３に塗料７を充填し、ワンタッチ継ぎ手５に圧縮エアホース１０を連結し、圧力制御した圧縮エアを供給すると、塗料７は内ノズル８より吐出し、さらに外ノズル９に圧縮空気を供給すると塗料７は霧化され、対象物に噴霧塗布される。【選択図】図１
0003156239.tif 000002
【実用新案登録請求の範囲】
【請求項１】
ブローノズルの液導入口と、シリンジの吐出口とに着脱自在に構成した継ぎ手を装着してブローノズルとシリンジを直結した噴霧装置。
【請求項２】
請求項１の噴霧装置と、塗布対象ワーク移動装置とで構成することを特徴とする液体噴霧塗布装置。
【請求項３】
請求項１の噴霧装置と、塗布対象ワーク移動装置と、塗布パターン部を打ち抜いた版２９とで構成することを特徴とする液体噴霧塗布装置
【考案の詳細な説明】
【技術分野】
【０１】薬液、塗料、インク、絵の具、グリス、クリーム、ペースト等液状物、半練状物を霧滴状にして噴霧するブローノズルとその装置。絵画描画用エアブラシ、塗装ガン、消毒液、接着剤、フラックス等皮膜形成剤等の噴霧塗布装置等。
【背景技術】
【０２】実用新案登録第３１３５８７４号に於いて、ノズル先から吐出する液状物を圧縮エアで吹き、粒状にして液体を噴霧するのに、液体供給装置についての詳述は特に記載されていない。液の色、種類等を変更の際、シリンジの交換、管路の洗滌等が面倒であり、これらの作業が簡単なことが望まれる。特に従来困難であったグリス、銀ペースト、ハンダペースト、マヨネーズ等半練状のペーストの噴霧を容易にすることである。
【発明が解決しようとする課題】
【０３】液のシリンジとブローノズルの連結部の継ぎ手を着脱自在とし、液種交換作業を簡単にし、シリンジに充填し、冷蔵保存された液等の従来困難であった液の噴霧塗布が得られるようにする。
【０４】従来例として特許２８３８６９０に於いては、液をドラム缶からポンプで吸い出し、ノズルまでホースで連結している。液種を変更するには煩雑な作業を要する。
【課題を解決するための手段】
【０５】ブローノズルの後端の配管継ぎ手に、液体供給装置のシリンジ吐出口の継ぎ手を着脱自在構造として直結し、ブローノズルとシリンジを一体化する。又液体供給装置へのシリンジ連結も着脱簡便であることが望まれる。
【実施例１】
【０６】多色の塗料の噴霧塗布。【０７】ブローノズル１の後端の配管継ぎ手２はメスルアー構成とし、シリンジ３の吐出口継ぎ手４はオスルアー構成としてブローノズル１とシリンジ３を着脱自在に連結する。シリンジ３後部には圧縮エアを供給するワンタッチ継ぎ手５を設置したアダプター６を装着する。
【作用】
【０８】シリンジ３に塗料７を充填し、ワンタッチ継ぎ手５に圧縮エアホース１０を連結し、圧力制御した圧縮エアを供給すると、塗料７は内ノズル８より吐出し、さらに外ノズル９に圧縮空気を供給すると塗料７は霧化され、対象物に噴霧塗布される。
【０９】別のブローノズル１´とシリンジ３´とアダプター６´の組み立て体に他の色の塗料を充填して準備しておき、入れ換えると他の色の噴霧塗布が素早くできる。
【１０】外ノズル９は取り外し、代わりにキャップ１１を装着し塗料の流失と乾燥を防止する。
【効果】
【１１】圧縮エアホースの着脱のみで色交換がすばやくできる。
【１２】ブローノズル１とシリンジ３とアダプター６の組み立て体はコンパクトで、加温、保温が容易であり、安価に提供できる。
【１３】アダプター６はシリンジ３の蓋になり塗料の乾燥防止になる。
【１４】液送り管路が無く、接液部が短く、洗浄が容易、分解が容易なので塗料だけでなく、薬液、グリス、ペースト、液状食品等に適応できる。
【１５】ブローノズル１とシリンジ３は着脱容易なので、シリンジ３の液が無くなったら別の、液を充填したシリンジと短時間で交換できる。
【１６】低粘度の液の場合、液が内ノズル８から流れだすが、吐出口の開閉装置は市販品にあり適応が容易。又この開閉装置を、間隔を置いて開閉すると間歇噴霧が可能になる。
【実施例２】
【１７】実施例１に於いては、シリンジ３内に圧縮エアを供給して塗料７を内ノズル８より吐出さしている。このような圧送方式は液の粘度変化、ノズル乾燥などで、液を定量的に吐出さすのが困難である。シリンジ内にピストンを挿入し機械的に押し込むと精度良く吐出さすことができ、塗布皮膜の管理が容易になる。【１８】液体噴霧塗布装置２０は、液体吐出装置２１、ブローノズル２２、塗布ワーク移動装置２３等でなる。液体吐出装置２１はシリンジ２４を着脱自在に装着し、シリンジ２４内のピストン２５を、送りねじ、サーボモーター２７等の送り手段でシリンジ２４内に精度良く送り込む。シリンジ２４の吐出口にブローノズル２２を装着する。【１９】塗布ワーク移動装置２３は塗布ワーク２８をブローノズル２２に対面さして保持すると共にサーボモーター等で管理した速度で移動さす。
【作用】
【２０】液体吐出装置２１の液吐出をブローノズル２２で霧化し、塗布ワーク移動装置２３で塗布ワーク２８を液吐出に関連就けて移動させていく。
【効果】
【２１】一定長さの正確な皮膜厚さの塗布膜が得られる。
【２２】接液部において、ピストン２５以外の部材の摩擦がないのでゴミの発生がほとんど無く、塗り広げることなく薬液の薄膜塗布、液晶パネルの液晶塗布、露光樹脂の皮膜形成等に適応できる。
【２３】液タンク、送液ホース等が無く、ロボットハンドへの装着が容易。液が無くなれば、別のシリンジと交換すればよいので段取り時間が少しで済む。
【２４】ブローノズル２２と塗布ワーク２８との間に、塗布パターン部を打ち抜いた版２９を挿入すると所定の形状の塗布パターンが得られる。版２９と塗布ワーク２８とを無接触にできる。
【図面の簡単な説明】
【２５】
【図１】実施例１の断面図
【図２】実施例２の側面図
【符号の説明】
【２６】１：ブローノズル  ２：配管継ぎ手  ３：シリンジ  ４：吐出口継ぎ手  ５：ワンタッチ継ぎ手  ６：アダプター  ７：塗料  ８：内ノズル  ９：外ノズル  １０：圧縮エアホース
【図１】
0003156239.tif 000003
【図２】
0003156239.tif 000004
【手続補正書】
【提出日】平成21年9月25日(2009.9.25)
【手続補正１】
【補正対象書類名】実用新案登録請求の範囲
【補正対象項目名】全文
【補正方法】変更
【補正の内容】
【実用新案登録請求の範囲】
【請求項１】
ブローノズルの液導入口と、シリンジの吐出口とに着脱自在に構成した継ぎ手を装着してブローノズルとシリンジを直結した噴霧装置。
【請求項２】
請求項１の噴霧装置と、塗布対象ワーク移動装置とで構成することを特徴とする液体噴霧塗布装置。
【請求項３】
請求項１の噴霧装置と、塗布対象ワーク移動装置と、塗布パターン部を打ち抜いた版とで構成することを特徴とする液体噴霧塗布装置
(57)【要約】【課題】      口腔内の前歯部と臼歯部の頬側面や舌側面の歯間に付着した食片を食事中や食事後に簡単に且つ歯肉を傷つけないように除去できるように操作が容易な保持部を持ち更に歯間の奥に付着した食片を除去出来るような長い爪楊枝とを一体化した歯の清掃用具を提供する。【解決手段】  扁平状の保持部とＬ型に曲げた軸状の長い爪楊枝を一体化させる事で、保持部の指の動きが口腔内のＬ型爪楊枝の先端に確実に伝達され口腔内の全ての歯間に付着している食片を除去する事が出来る。【選択図】図３
0003156235.tif 000002
【実用新案登録請求の範囲】
【請求項１】
プラスチック又は金属等の素材で、先端を尖頭にし、楊枝部分を本体に対して９０度前後に曲げたＬ型の長い爪楊枝。
【請求項２】
請求項１と同一素材による本体の他端を、扁平板状の保持部とし請求項１の部分と一体化させる。
【考案の詳細な説明】
【技術分野】
【０００１】      本考案は  歯間及び歯表面又は歯肉を傷つけず、更に不必要に口を大きく開けることなく、前歯部及び臼歯部の歯間に付着した食片を除去出来るような爪楊枝に関するものである。
【背景技術】
【０００２】      従来、歯間を清掃する用具として、先端を尖頭にした棒状の爪楊枝、楊枝の先端に数個の短い突起をつけたカギ楊枝、楊枝の先端を曲げた湾曲楊枝、細糸を利用した糸楊枝、更に歯間に薄板を挿入して清掃する板楊枝が知られている
【先行技術文献】
【特許文献】
【０００３】
【特許文献１】実公平０２−１２１０１６  公報
【特許文献２】実開平０７−０２１０１２  公報
【考案の概要】
【考案が解決しようとする課題】
【０００４】      従来の爪楊枝は前歯部口唇側の歯間に付着した食片を容易に除去出来るが、臼歯部の歯間や前歯部舌側の歯間に付着した食片の除去は難しい、無理に口を大きく開けて楊枝を歯間に挿入しようとする行為は歯肉や歯表面を傷つけることになる【０００５】      楊枝先端に短い突起を設定したカギ楊枝或いはＬ型爪楊枝は突起が短い故に歯間の奥に付着した食片を取り除けない。湾曲楊枝、或いは５０度前後に先端が曲がっている楊枝は比較的簡単に臼歯の歯間部付近に到達するが充分奥までとどかず内部に付着した食片を除去できない、更に保持部が小さく棒状の為、楊枝先端の動きの制御が困難である。【０００６】      糸楊枝は使用中に糸が切れてしまうことがあり操作が難しい。板楊枝は板が歯間に無理に挿入されると、歯表面や歯肉を傷つけてしまう恐れがある。【０００７】      一般に爪楊枝は、食事中や食後に簡単に歯間に付着した食片を取り除くことが主目的であるが従来の楊枝ではその形態上、歯間の清掃の為に口を大きく開けたり手で口を覆うことも必要となり食事中や食後のマナーとして改善を要する【０００８】      更に食片が除去されないで口腔内に放置されるのは不快感を生じ、更に食片の腐廃による不潔な部位は歯周疾患の要因のひとつでもある。
【課題を解決するための手段】
【０００９】      本考案はプラスチック又は金属等を素材とし、尖頭をもちＬ型に曲げた軸状の長い爪楊枝と同一素材の扁平板状の保持部分とを一体化したことである。扁平状の保持部を指で持ち動かすことでその微妙な動きがＬ型楊枝の先端に対応するので確実に口腔内の全ての歯間に直角に深く挿入可能で、そこに付着した食片を完全に除去できる。
【考案の効果】
【００１０】      本考案の楊枝は長いＬ型の形態なので口を最小限に閉じた状態でも臼歯部の歯間や前歯部の舌側の歯間に付着した食片に本考案の楊枝の先端が直角に対応しこれを除去できるので食後の速やかな口腔内の清掃に貢献できると同時に口を大きく開けたり口を手で覆って口腔内を清掃する行為から解放されテーブルマナーの向上に貢献する。【００１１】      毎食後、本考案の楊枝を使用すれば口腔内から残留食片を全て除去出来るので残留食片の腐敗がひとつの原因である歯周疾患の予防に貢献する。
【図面の簡単な説明】
【００１２】
【図１】      Ｌ型楊枝の形態を示す正面図である。
【図２】      Ｌ型楊枝の厚みを示す側面図である。
【図３】      Ｌ型楊枝の使用方法を示した説明図である。
【考案を実施するための形態】
【００１３】      プラスチック又は金属等の可塑性を有する素材で、先端を尖頭にしＬ型に曲げた長い楊枝と先端の動きを制御し易いように扁平板状にした保持部を一体化させた形態である。
【実施例】
【００１４】      図１の実施例は  本体（１）が可塑性を有するプラスチック又は金属等を素材とする扁平状の保持部（２）と中心部で同一素材の軸状の長い楊枝とを連結させ、軸状の長い楊枝は保持部分に対して９０度前後のＬ型（３）に曲がり先端は尖頭（４）となる構造である。【００１５】      図２の実施例は  本体（１）の厚みが薄く包装し保管するのに便利である。【００１６】      図３の実施例は  前歯部舌側面（６）の清掃（１０）、臼歯部舌側面（７）の清掃（９）臼歯部頬側面（８）の清掃（１１）を示す。本体（１）の扁平状の保持部（２）を指で持ちその動きが本体（１）の先端部尖頭（４）に確実に伝達され口腔内の全ての歯間に付着している食片に先端部尖頭（４）は直角に対応しこれを適確に除去する事が出来る。
【符号の説明】
【００１７】      １    本体
２    保持部
３    Ｌ型部
４    尖頭
５    前歯部口唇側面
６    前歯部舌側面
７    臼歯部舌側面
８    臼歯部頬側面
９    臼歯部舌側面歯間の清掃方法
１０  前歯部舌側面歯間の清掃方法
１１  臼歯部頬側部歯間の清掃方法
【図１】
0003156235.tif 000003
【図２】
0003156235.tif 000004
【図３】
0003156235.tif 000005
【手続補正書】
【提出日】平成21年9月24日(2009.9.24)
【手続補正１】
【補正対象書類名】実用新案登録請求の範囲
【補正対象項目名】全文
【補正方法】変更
【補正の内容】
【実用新案登録請求の範囲】
【請求項１】
プラスチック又は金属等の素材で、先端を尖頭にし、先端から１センチメートル付近を爪楊枝の軸方向に対して９０度前後に曲げたＬ型の形状を特徴とする爪楊枝。
【請求項２】
前記Ｌ型の形状を有する爪楊枝と同じ素材からなる扁平板状の保持部と、前記Ｌ型の形状を有する爪楊枝とを結合し一体化させたことを特徴とする請求項１に記載の爪楊枝。
(57)【要約】      （修正有）【課題】印鑑の摩耗を抑え、落下などによる欠け等の損傷も防ぎ、永く使うことが出来るようにするとともに、刃物を使った手作業による彫刻が出来る印鑑を提供する。【解決手段】チタン等金属素材の印鑑本体１の先端に凹型部２を形成し、そこに、象牙等で形成された印面彫刻用のチップ３を固着し、金属の堅牢さと刃物による手作業での彫刻のしやすさを備えたものである。印面部の周囲が金属なので、長期使用による摩耗や、落下等によって発生する欠けに対する強度を高めることができる。また、印面彫刻用のチップ３は、刃物等による手作業での彫刻にも適した材料を選択できるので、多くの印章彫刻技能士の技術を活かすことが出来る。【選択図】図２
0003156266.tif 000002
【実用新案登録請求の範囲】
【請求項１】
円柱状の印鑑形状とした金属部材と、この金属部材の一端に形成した凹型部と、この凹型部に、刃物で彫刻可能な素材で形成したチップとから成ることを特徴とした金属印鑑。
【考案の詳細な説明】
【技術分野】
【０００１】
本考案は、印鑑に使用する円柱状及びそれに類する形状の印鑑に関するものである。
【背景技術】
【０００２】
印鑑の材料には、木材及び動物の牙や角などが使われており、近年はプラスチックや陶器、石材、金属等の材質でもつくられている。しかし、耐久性や彫刻のしやすさでいずれも難点があった。印鑑は本来、同じ印影が出来ないようにつくるものである。この点、木材や動物の牙、角、及びプラスチック類のものは、刃物による手作業での彫刻のため同じ印影にはなりにくかったが、欠けたり摩耗が大きかった。また、陶器や石材は欠けやすく、金属製のものは強固ではあるが刃物による手作業で彫刻出来ず、全て機械による彫刻のみであった。このため、工業製品として同じ印影の印鑑が出来る状況にあった。
【考案の開示】
【考案が解決しようとする課題】
【０００３】
落としても欠けず、また激しい使用に対しても摩耗が極めて少なく、手作業により刃物等で彫刻できる印鑑を提供することを目的とする。
【課題を解決するための手段】
【０００４】
本考案は、チタン等の金属で形成された印鑑本体の先端部を凹型に加工し、象牙や木材等の従来から使われている印鑑素材や樹脂材等を凹型内に取り付けて、金属の堅牢さと刃物による彫刻のしやすさを備えたものである。
【考案の効果】
【０００５】
彫刻する印面部は象牙や木材なので、従来からの手作業による技術で彫刻が出来る。これまで印鑑は象牙が最良とされ、その美しさと共に、彫刻のし易さや捺印時の鮮明さに優れているが、現在は国際取引が制限されている。本考案は、この象牙などの稀少な素材を使う場合においても使用量が少量で済み、そして、印面部の外側は金属のため耐摩耗性や衝撃に優れたものとなっている。
【考案を実施するための最良の形態】
【０００６】
印鑑形状に加工した金属製の本体の先端を凹形に加工し、そこに象牙や木材などのチップをはめ込み固着する。
【０００７】
金属の素材は、チタンやステンレス等の頑強な素材以外にも、金や銀などの貴金属を使用して付加価値を高める事も出来る。
【０００８】
はめ込むチップは、捺印性能の高さと高級感から象牙が最も望ましいが、安価な木材や動物の角、樹脂等の素材でも可能である。
【０００９】
金属印鑑先端の凹部に、これに合わせた大きさに形成したチップをはめこみ、接着剤等を用いて固着させる。
【実施例】
【００１０】
以下、添付図面に従って実施例を説明する。
図１は、印鑑の全体図で、チップ３には、印面部４が彫刻される。  
【００１１】
図２は、印鑑本体１の先端凹部２と、そこにはめ込むチップ３を表す。
【００１２】
図３は、印鑑本体１と、チップ３を表す。
印鑑本体１の凹部２には、チップ３がはめ込まれ、接着剤等により固着される。
【図面の簡単な説明】
【００１３】
【図１】本考案の印鑑に彫刻を施した斜視図。
【図２】本考案の構造を示す斜視図。
【図３】本考案の構造を示す正面図。
【符号の説明】
【００１４】
１  金属印鑑本体
２  凹部
３  チップ
４  印面部
【図１】
0003156266.tif 000003
【図２】
0003156266.tif 000004
【図３】
0003156266.tif 000005
【手続補正書】
【提出日】平成21年10月20日(2009.10.20)
【手続補正１】
【補正対象書類名】実用新案登録請求の範囲
【補正対象項目名】全文
【補正方法】変更
【補正の内容】
【実用新案登録請求の範囲】
【請求項１】
円柱状の印鑑形状とした金属部材と、この金属部材の一端に形成した凹型部と、この凹型部にはめ込まれ固着された、刃物で彫刻可能な素材で形成したチップとから成ることを特徴とした金属印鑑。
(57)【要約】      （修正有）【課題】容易に移動させて使用できるウイルス感染拡大予防対策噴霧殺菌装置を提供する。【解決手段】弱酸性の次亜塩素酸水をチューブで配管された霧化する混合噴霧装置と、チューブで配管されコンプレッサーと、室内の雰囲気を撹拌するためのブロワとからなる。さらに、弱酸性の次亜塩素酸水を霧化の噴霧量と噴霧時間を制御する噴霧量・噴霧時間制御装置を備えている。【選択図】図１
0003156288.tif 000002
【実用新案登録請求の範囲】
【請求項１】
弱酸性の次亜塩素酸水をチューブで配管された霧化する混合噴霧装置と、チューブで配管されコンプレッサーと、室内の雰囲気を撹拌するためのブロワとからなることを特徴とするウイルス感染拡大予防対策噴霧殺菌装置。
【請求項２】
前記弱酸性の次亜塩素酸水を霧化の噴霧量と噴霧時間を制御する噴霧量・噴霧時間制御装置を備えていることを特徴とする請求項１に記載のウイルス感染拡大予防対策噴霧殺菌装置。
【請求項３】
前記弱酸性の次亜塩素酸水の霧化で、室内湿度を保つことと、人体と物へのウイルス感染予防とからなることを特徴とする請求項１又は２に記載のウイルス感染拡大予防対策噴霧殺菌装置。
【請求項４】
前記弱酸性の次亜塩素酸水の噴霧を室内に撹拌する装置を備えていることを特徴とする請求項１〜３のいずれかに記載のウイルス感染拡大予防対策噴霧殺菌装置。
【考案の詳細な説明】
【技術分野】
【０００１】本考案は、人体や物に付着したウイルスや菌に関し、特に弱酸性次亜塩素酸水の噴霧化による殺菌装置に関するものである。
【背景技術】
【０００２】弱酸性次亜塩素酸水の噴霧の霧化による鶏等の種卵の表面の殺菌に使われていた。
人体に付着したウイルスや菌等には、安全性上使用されていなかった。
ウイルスが付着した人が、室内へ入室することでウイルスの感染が増大するのである。そこで、入室する入り口等にアルコール消毒剤やマスク着用している。
【先行技術文献】
【特許文献】
【０００３】
【特許文献１】特開２００４−３２９１４９号公報
【０００４】
【非特許文献１】「ＣＥＬＡセラ  カタログ」ミツヤテック株式会社
【考案の概要】
【考案が解決しようとする課題】
【０００５】ウイルスの殺菌には、手洗いとうがい、マスク、手のアルコール消毒等の予防対策ではまだ問題があった。
そのことを怠れば、ウイルスの感染に繋がる可能性があった。【０００６】不特定多数の人が出入りする部屋やスペースにおいて、ウイルスの感染拡大は増大するという問題があった。【０００７】不特定多数の人が出入りする入口において、噴霧化によるウイルスの侵入予防策は、なされていなかった。【０００８】部屋やスペースではたとえば家庭用の扇風機を用い、噴霧を撹拌させ容易に取り付けて課題を解決する装置を提供することである。【０００９】また、その装置は室内のどこにでも容易に移動させて、使用できる目的とする。【００１０】本考案は、外部からの入室者に対して全身殺菌し、また、すでに入室している人に対しては、外部からのウイルスから感染予防できることを目的とする。
【課題を解決するための手段】
【００１１】この考案に係わるウイルスの殺菌装置は、弱酸性次亜塩素酸水と噴霧を作り出す混合噴霧装置がチューブで配管され、さらにコンプレッサーからもチューブで配管され、攪拌のためのブロワを備えた装置である。【００１２】ここで前記弱酸性次亜塩素酸水の霧化による噴霧は、人体への作用であり、人体の表面に付着したウイルスの殺菌を意味するものである。安定した弱酸性の次亜塩素酸水（非特許文献１参照）は、ｐＨ６．５±０．０５の範囲で不都合なく生成されているからである。【００１３】ここで前記弱酸性次亜塩素酸水の霧化による噴霧は、人体に対して不快感を与えない噴霧粒子を意味するものである。噴霧粒子の大きさとして７μ〜１０μが望ましい。【００１４】ここで前記弱酸性次亜塩素酸水の霧化は、噴霧量や噴霧時間を制御する装置を備えているのが望ましい。【００１５】比較的乾燥する室内は低湿度になりがちであり、適度な湿度を保つのが望ましい。
ブロワで撹拌、霧化したここで前記弱酸性次亜塩素酸水は湿度を保つ噴霧を意味し、容易に菌の感染の防止に使用することができる。【００１６】また、ここでの前記弱酸性次亜塩素酸水ｐＨ６．５は、人体に対して安全を意味するものである。菌やウイルスのみ即反応する。
【考案の効果】
【００１７】上記のように構成された本考案の装置によれば、人体において安全に容易にたとえば新型インフルエンザウイルス等の感染拡大予防ができるという効果がある。
【図面の簡単な説明】
【００１８】
【図１】この発明の実施の形態を示す装置の説明図である。（概念図）
【図２】弱酸性次亜塩素酸水が噴霧を発生させる使用事例図である。
【考案を実施するための形態】
【００１９】図１はこの発明の実施の形態を示す装置の概念説明図、図２は弱酸性次亜塩素酸水が霧化を発生させる使用事例図である。
【００２０】この発明の実施の形態に係わる装置は、図２に示すように弱酸性の次亜塩素酸水９の容器５と混合噴霧装置１と液体用チューブ３で接続され、コンプレッサー６と混合噴霧装置１がエアー用チューブ４で接合されている。ブロワ７の前面に混合噴霧装置ホルダー２を施されている。
【００２１】霧化を発生させる弱酸性の次亜塩素酸水９は、ｐＨ６．５±０．０５の範囲で設定され保たれていて容器５貯えられている。弱酸性の次亜塩素酸水９はあらかじめ生成器にて生成された液体を使用する。
【００２２】霧化を発生させる方法として、コンプレッサー６の空気の圧力を任意に定め、混合噴霧装置１内の圧力差で弱酸性の次亜塩素酸水９を吸上げ混合噴霧装置１から７μ〜１０μの噴霧粒子を霧化する装置である。
【００２３】混合噴霧装置１から霧化する弱酸性の次亜塩素酸水９の噴霧量を制御する噴霧量制御装置８と噴霧時間を制御する制御噴霧時間制御装置８を備えている。
【００２４】次に混合噴霧装置１から噴霧時間決めることで室内１１の湿度を保つことにも使用できる装置である。
【００２５】混合噴霧装置１から弱酸性の次亜塩素酸水９が噴霧され、さらにブロワ７で粒子が撹拌される。空気中を散乱した粒子は、人体表面に付着する作用がある。弱酸性の次亜塩素酸水９は［００２１］での説明でｐＨ７の中性にほぼ近い、人体には安全な生成水である。
【実施例】
【００２６】図２は本発明の一実施例に係わる霧化を発生させる装置の使用事例図であり、同図において、容器５に貯えられている弱酸性の次亜塩素酸水９をコンプレッサー６を作動させることにより、液体・エアー用チューブ３，４を経て混合噴霧装置１から噴霧する。【００２７】コンプレッサー６の空気圧を０．２ＭＰａから０．５ＭＰａの範囲において混合噴霧装置１から出る噴霧粒子の大きさは７μから１０μに治まる。
【符号の説明】
【００２８】  １  混合噴霧装置
２  混合噴霧装置ホルダー
３  液体用チューブ
４  エアー用チューブ
５  容器
６  コンプレッサー
７  ブロワ
８  噴霧量・時間制御装置
９  弱酸性の次亜塩素酸水
１０容器用ホルダー
１１室内
【図１】
0003156288.tif 000003
【図２】
0003156288.tif 000004
(57)【要約】      （修正有）【課題】仕切りが移動してしまうことによって本が倒れたり、仕切りの置き方を変えると小さな本が本立ての奧に入ってしまうことのない、本立て用の仕切りを提供する。【解決手段】仕切り板１には切り欠きを付け、横木２にも溝４を付けて、その部分を組合わせる事によって両者は固定され、さらに横木の厚み分が、スペーサーとなって本が前に出る。正方形の板１と横木２を組合わせる事により、仕切り板１が左右に動かなくなり、従って中の本は倒れなくなる。もし入れる本が小さい場合、仕切り板１の置き方を変えれば、横木の幅の分がスペーサーとなり、本はさらに前に出る。【選択図】図１
0003156281.tif 000002
【実用新案登録請求の範囲】
【請求項１】
四角形の板とそれを固定する横木を、組合わせた本立ての仕切り。
【請求項２】
仕切りとなる板と、横木の接合部に切り欠きを入れて、その部分を組合わせる事により、両者は固定され外れにくくした事を特徴とする請求項１の本立ての仕切り。
【考案の詳細な説明】
【技術分野】
【０００１】本考案は、本立てに使用し本が倒れない様にして、また小さい本が本立ての奥に入って取り出せなくならない様にする為の、本立ての仕切りに関するものである。
【背景技術】
【０００２】従来において、市販されている本立てに付属の仕切りは、位置を自由に動かせるが、本を出し入れしている内に、仕切りの間が開いて本が倒れてしまう事がある。
【考案の概要】
【考案が解決しようとする課題】
【０００３】本立ての仕切りの位置が自由に動かないように固定し、さらに本の後ろにスペーサーを兼ねる横木を入れて、本が奥に入らないようにする。
【課題を解決するための手段】
【０００４】本考案は、正方形の板と横木を組合わせる事により、仕切りが左右に動かなくなり、従って、中の本は倒れなくなる。【０００５】板には切り欠きを付け、横木にも溝を付けて、その部分を組合わせる事によって両者は固定され、さらに横木の厚み分が、スペーサーとなって本が前に出る。【０００６】もし入れる本が小さい場合、仕切りの置き方を変えれば、横木の幅の分が、スペーサーとなり、本はさらに前に出る。
【考案の効果】
【０００７】上述の様に、本考案の仕切りを使うと、仕切りが移動してしまい本が倒れる事はなく、さらに仕切りの置き方を変えると、小さな本が本立ての奥に入ってしまうこともない。【０００８】
【図面の簡単な説明】
【０００９】
【図１】本考案の仕切りの板と、横木の組合わせ方を示す図である。
【図２】大きい本を入れた時の、仕切りと本の外観図である。
【図３】仕切りの置き方を変えて小さい本を入れた時の外観図である。
【符号の説明】１…仕切り板
２…スペーサーも兼ねる横木
３…仕切りの板の切り欠き
４…横木の溝
【図１】
0003156281.tif 000003
【図２】
0003156281.tif 000004
【図３】
0003156281.tif 000005
(57)【要約】      （修正有）【課題】リモートコントロール機能が付いていない照明器具に赤外線で遠隔操作が可能になる照明用リモートコントロール送受信機装置を提供する。【解決手段】配線式電源コード３から電力をリモートコントロール受信機１に供給し、また複数のコンセント差し込み口を設けて、リモートコントロール機能が付いていない照明器具５を接続することにより照明器具５の点灯、消灯、調光、タイマー機能の遠隔操作がリモートコントロール送信機２により可能になり、照明器具５の操作が使用上便利になる。【選択図】図１
0003156290.tif 000002
【実用新案登録請求の範囲】
【請求項１】
赤外線により複数の照明器具を遠隔操作できる照明用リモートコントロール受信機とこの照明用リモートコントロール受信機を遠隔操作する為の照明用リモートコントロール送信機を有し、前記照明用リモートコントロール受信機に設けられた電源コンセント差込口へ照明器具を接続し、照明用リモートコントロール送信機で遠隔操作でき照明器具の点灯、消灯、調光の動作を行わせることを特徴とする照明用リモートコントロール送受信機装置。
【請求項２】
前記リモートコントロール受信機には複数の照明器具を接続するため、複数の電源コンセント差込口が設けられていることを特徴とする請求項１に記載の照明用リモートコントロール送受信機装置。
【請求項３】
前記リモートコントロール受信機は配線式電源コードで電力を供給することを特徴とする請求項１に記載の照明用リモートコントロール送受信機装置。
【請求項４】
請求項１のリモートコントロール送信機は消灯、点灯、調光、タイマーの切り替えスイッチが設けられており、リモートコントロール受信機に信号を送ることにより照明器具の照明切り替えをし、またリモートコントロール送信機のタイマーを設定することにより規定の時間で照明器具の照明が消灯することを特徴とする請求項１に記載の照明用リモートコントロール送受信装置。
【請求項５】
リモートコントロール送信機は同じ赤外線信号を受信する受信機を複数使用することも可能で一つの送信機で複数の受信機を操作でき、また赤外線信号を変更できるスイッチも設けられているため信号を変えることにより複数の受信機の同時操作や、個別操作ができることを特徴とする請求項１に記載の照明用リモートコントロール送受信機装置。
【考案の詳細な説明】
【技術分野】
【０００１】  本考案は、赤外線によりランプの照明を点灯、消灯、並びに調光の動作を行わせる照明用リモートコントロール装置に関する物である。
【背景技術】
【０００２】  従来の卓上用照明器具は、器具本体に設けられている電源スイッチで点灯、消灯、調光の変更をする事が行われている。【０００３】  また電源スイッチが照明器具の電源コードに付いている物もあり、照明の点灯、消灯、調光が非常に面倒であり簡単に変更ができない。
【考案の概要】
【考案が解決しようとする課題】
【０００４】  本考案は、リモートコントロール機能が付いていない卓上用照明器具の点灯、消灯、調光を赤外線でリモートコントロールでき、使用者がいくつかの照明器具の動作をまとめて操作することが可能になり、使用上便利である。
【課題を解決するための手段】
【０００５】  上記課題を解決するため、本考案にリモートコントロール受信機とリモートコントロール送信機を設け、リモートコントロール受信機に卓上用照明器具を接続する為の電源コンセント差込口と赤外線受信部を装着し、リモートコントロール受信機から照明器具の電源を取り、照明器具を赤外線で遠隔操作し点灯、消灯、調光の操作ができるようになり問題点を解決している。
【考案の効果】
【０００６】  上述の様に本考案の照明用リモートコントロール装置は照明器具の点灯、消灯は勿論、リモートコントロール受信機を設けることにより、遠隔操作で一度に数台の照明器具の点灯、消灯、調光の変更が出来る事により生活上便利になる。
【図面の簡単な説明】
【０００７】
【図１】  本考案の照明用リモートコントロール送受信機装置と照明器具の構成を示す説明図である。
【図２】  本考案の照明用リモートコントロール送受信機装置の受信機装置を示す正面斜視図である。
【図３】  本考案の照明用リモートコントロール送受信機装置の受信機装置を示す後方斜視図である。
【図４】  本考案の照明用リモートコントロール送受信機装置の送信機装置を示す正面図である。
【考案を実施するための形態】
【０００８】  本考案の実施例に添付の図面を参照して具体的に説明する。図１は本考案の照明用リモートコントロール送受信機装置と照明器具の構成を示す説明図である。また図２はリモートコントロール受信機の正面斜視図である、また図３はリモートコントロール受信機の後方斜視図である。また図４はリモートコントロール送信機の正面図である。
【０００９】  図１に示すように、本考案実施例に係わるリモートコントロール送受信機においては赤外線によりリモートコントロール受信機１と送信機２が設けられている。例えば室内に設置されている照明器具５をリモートコントロール受信機１に接続し、このリモートコントロール受信機１を遠隔操作する赤外線リモコン送信機２が設けられている。
【００１０】  次に本実施例に係わるリモートコントロール送受信機の動作について説明する。リモートコントロール受信機１には複数のコンセント差込口４が設けられており、複数の照明器具５の電源を取ることができ、本考案のリモートコントロール送信機２で複数の照明器具５を遠隔操作ができる。
【００１１】  またリモートコントロール受信機１は配線式電源コード３で電力を供給するため使用者が好みの場所に設置できる。
【００１２】  またリモートコントロール送信機２には点灯、消灯、調光、タイマーの切り替えスイッチが設けられているので使用者は照明器具５の照明切り替えの遠隔操作を簡単にできる。またタイマーは設定されている時間で照明器具５の照明を消灯させることができる。
【００１３】  また同じ赤外線信号のリモートコントロール受信機１を複数使用する場合でも、一つのリモートコントロール送信機２で複数の受信機１を操作することが可能である。リモートコントロール送信機２、受信機１には赤外線信号を変更できるスイッチも設けられており、赤外線信号を変える事により複数の受信機１を個別に操作することも可能である。
【符号の説明】１  リモートコントロール受信機
２  リモートコントロール送信機
３  リモートコントロール受信機の配線電源コード
４  リモートコントロール受信機のコンセント差込口
５  照明器具
【図１】
0003156290.tif 000003
【図２】
0003156290.tif 000004
【図３】
0003156290.tif 000005
【図４】
0003156290.tif 000006
(57)【要約】      （修正有）【課題】介護を必要とする人の、健康スケジュールの把握を容易にする、スケジュールカードを使用したスケジュール一覧ホルダーを提供する。【解決手段】スケジュール一覧ホルダー本体１に、前面透明板８と後方板に、朝表示部５昼表示部６夜表示部７を示したスケジュールカード入れ部３を横一列に設け、これを一週間分縦に七段設ける。スケジュールカード２に、スケジュールを表示し、これを必要事項分設ける。ついで、スケジュール一覧ホルダー本体１の、スケジュールカード入れ部３全体に、スケジュールカード２と、くすり９を、適切箇所に配置をする。使用するには、スケジュール一覧ホルダー本体１全体を見える様に設置し、各箇所のスケジュールカード入れ部３に配置された、スケジュールカード２及び、くすり９を、朝、昼、夜、の順に取り、スケジュール行動を進め、同時にその先のスケジュールの把握も容易となる。【選択図】図１
0003156289.tif 000002
【実用新案登録請求の範囲】
【請求項１】
スケジュール一覧ホルダーのスケジュールカード入れ部に、スケジュールを書き示したカードを用いた事を特徴とした、スケジュールカードを使用したスケジュール一覧ホルダー。
【考案の詳細な説明】
【技術分野】
【０００１】  本考案は、健康に関するスケジュールをカードに示して、スケジュール一覧ホルダーに配置する事により、円滑なスケジュールの把握と行動が出来る、スケジュールカードを使用したスケジュール一覧ホルダーに、関するものである。
【背景技術】
【０００２】  従来、介護を必要とする人の、病院へ行く又はヘルパーが来る等を目的とした、行動スケジュールは、カレンダーに書くか、お世話をする周りの人の申し送り等で行なっていた。
【先行技術文献】
【０００３】
【特許文献】
【特許文献１】
【非特許文献】
【非特許文献１】
【考案の概要】
【考案が解決しようとする課題】
【０００４】  これには次のような問題点があった。
介護を必要とする人の健康スケジュールは、介護をする人など周りの人も、介護を受ける本人も、スケジュールの把握が必要で有るが、病院へ行く又はヘルパーが来る等の行動スケジュールと、薬の時間分けは別で、介護を受ける本人は全ての把握は困難で有った。
【課題を解決するための手段】
【０００５】  スケジュール一覧ホルダーに、病院へ行く又はヘルパーが来る、等のスケジュールを示したカードを、薬と共に適切箇所に配置をする。
本考案は以上の構成からなる、スケジュールカードを使用したスケジュール一覧ホルダーである。
【考案の効果】
【０００６】  介護を受ける本人、及びお世話をする周りの人が、スケジュール一覧ホルダーを基に同じスケジュールを把握する事が出来きる。
【図面の簡単な説明】
【０００７】
【図１】本考案の使用状態を示す斜視図
【図２】本考案のスケジュールカードの斜視図
【図３】本考案のスケジュール一覧ホルダーの斜視図
【考案を実施するための形態】
【実施例】
【０００８】以下本考案の構造を説明する。
（イ）スケジュール一覧ホルダー本体（１）に、前面透明板（８）と後方板に、朝表示部（５）昼表示部（６）夜表示部（７）を示したスケジュールカード入れ部（３）を横一列に設け、これを一週間分縦に七段設ける。
（ロ）スケジュールカード（２）に、スケジュール（１０）を表示し、これを必要事項分設ける。
（ハ）スケジュール一覧ホルダー本体（１）の、スケジュールカード入れ部（３）全体に、スケジュールカード（２）と、くすり（９）を、適切箇所に配置をする。
本考案は以上のような構造で、それを使用するには、スケジュール一覧ホルダー本体（１）全体を見える様に設置し、各箇所のスケジュールカード入れ部（３）に配置された、スケジュールカード（２）及び、くすり（９）を、朝、昼、夜、の順に取り、スケジュール行動を進め、同時にその先のスケジュールの把握も容易である。
【符号の説明】
【０００９】  １  スケジュール一覧ホルダー本体
２  スケジュールカード
３  スケジュールカード入れ部
４  週間表示部
５  朝表示部
６  昼表示部
７  夜表示部
８  前面透明板
９  くすり
１０スケジュール
【図１】
0003156289.tif 000003
【図２】
0003156289.tif 000004
【図３】
0003156289.tif 000005